(57)【特許請求の範囲】
【請求項１】
ファクシミリ装置を収容する構内交換機であって、
前記ファクシミリ装置が発信したダイヤル情報に基づいて、着信側ファクシミリ装置に発呼要求メッセージを送信する送信手段と、
前記発呼要求メッセージに対する応答メッセージを受信する受信手段と、
前記応答メッセージが着信拒否を表す場合に、前記ダイヤル情報に基づいて、非通知設定によって着信が拒否されたか否かを判断する判断手段と、
を備える構内交換機。
【請求項２】
非通知設定によって着信拒否が行われたと判断された場合、前記ファクシミリ装置に非通知着信拒否に関する情報を通知する通知手段、
をさらに備える、請求項１に記載の構内交換機。
【請求項３】
前記非通知着信拒否に関する情報は、着信拒否の理由である、
請求項２に記載の構内交換機。
【請求項４】
前記送信手段は、非通知設定によって着信が拒否されたと判断された場合、前記ダイヤル情報から発信者情報を非通知とする情報を削除し、あるいは前記ダイヤル情報に発信者情報を通知する情報を付加して、再度発呼要求メッセージを送信する、
請求項１から３のいずれか１項に記載の構内交換機。
【請求項５】
前記送信手段は、非通知設定によって着信が拒否されたと判断された場合、前記ダイヤル情報から発信者情報を非通知とする情報を削除し、あるいは前記ダイヤル情報に発信者情報を通知する情報を付加して、再度発呼要求メッセージを送信し、
前記通知手段は、再送処理を行った旨を前記ファクシミリ装置に通知する、
請求項２または３のいずれかに記載の構内交換機。
【請求項６】
前記応答メッセージは、ＳＩＰレスポンスコードである、
請求項1から５のいずれか１項に記載の構内交換機。
【請求項７】
ファクシミリ装置を収容する構内交換機が行う判断方法であって、
前記ファクシミリ装置が発信したダイヤル情報に基づいて、着信側ファクシミリ装置に発呼要求メッセージを送信し、
前記発呼要求メッセージに対する応答メッセージを受信し、
前記応答メッセージが着信拒否を表す場合に、前記ダイヤル情報に基づいて、非通知設定によって着信が拒否されたか否かを判断する、
判断方法。
【請求項８】
非通知設定によって着信拒否が行われたと判断された場合、前記ファクシミリ装置に非通知着信拒否に関する情報を通知する、
請求項７に記載の判断方法。
【発明の詳細な説明】
【技術分野】
【０００１】
本発明は、構内交換機および判断方法に関し、特に、着信拒否の原因を判断する技術に関する。
【背景技術】
【０００２】
構内交換機は、企業等で複数の電話を使用する場合の交換機である。構内交換機のうち、ＩＰ（Ｉｎｔｅｒｎｅｔ  Ｐｒｏｔｏｃｏｌ）電話で用いられるものを、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）という。ＩＰ−ＰＢＸは、ＩＰ電話による内線通話を行うために必要な装置であり、外部のネットワークとの接続も可能である。ファクシミリ装置がＩＰ−ＰＢＸ装置に収容され、外部にファクシミリを送信する場合も存在する。
【０００３】
ファクシミリ装置が非通知送信を行った場合、着信が拒否される場合がある。特許文献１は、話中音を検出することにより、非通知送信により着信が拒否されたか否かを判断する技術を開示している。
【先行技術文献】
【特許文献】
【０００４】
【特許文献１】特開平１１−２９８６３７号公報
【発明の概要】
【発明が解決しようとする課題】
【０００５】
上記のように、特許文献１は、ファクシミリ装置が、着信拒否の原因を判断する技術を開示している。しかし、構内交換機は、話中音を検出する機能を備えていない場合があるため、特許文献１の技術を用いて構内交換機が着信拒否の原因を判断することはできないという問題があった。
【０００６】
本開示は上記課題を解決するためにされたものであって、ファクシミリの着信が拒否された場合、非通知による送信を行ったことが原因か否かを判断することが可能な構内交換機および判断方法を提供することを目的とする。
【課題を解決するための手段】
【０００７】
本開示にかかる構内交換機は、ファクシミリ装置を収容する構内交換機であって、前記ファクシミリ装置が発信したダイヤル情報に基づいて、着信側ファクシミリ装置に発呼要求メッセージを送信する送信手段と、前記発呼要求メッセージに対する応答メッセージを受信する受信手段と、前記応答メッセージが着信拒否を表す場合に、前記ダイヤル情報に基づいて、非通知設定によって着信が拒否されたか否かを判断する判断手段と、を備えるものである。
【０００８】
本開示にかかる判断方法は、ファクシミリ装置を収容する構内交換機が行う判断方法であって、前記ファクシミリ装置が発信したダイヤル情報に基づいて、着信側ファクシミリ装置に発呼要求メッセージを送信し、前記発呼要求メッセージに対する応答メッセージを受信し、前記応答メッセージが着信拒否を表す場合に、前記ダイヤル情報に基づいて、非通知設定によって着信が拒否されたか否かを判断する、ものである。
【発明の効果】
【０００９】
本開示によれば、ファクシミリの着信が拒否された場合、非通知による送信を行ったことが原因か否かを判断することが可能な構内交換機および判断方法を提供することができる。
【図面の簡単な説明】
【００１０】
【図１】実施の形態１にかかる構内交換機の概要を示す概略図である。
【図２】実施の形態１にかかる構内交換機の構成を示す構成図である。
【図３】実施の形態２にかかるボタン電話装置の概要を示す概略図である。
【図４】実施の形態２にかかるボタン電話装置の構成を示す構成図である。
【図５】実施の形態２にかかるボタン電話装置とファクシミリ装置との間におけるメッセージの例を示す表である。
【図６】実施の形態２にかかるボタン電話装置の動作を示すシーケンス図である。
【図７】実施の形態２にかかるボタン電話装置が、“１８４”を削除する場合の動作を示すシーケンス図である。
【図８】実施の形態２にかかるボタン電話装置が、“１８６”を付加する場合の動作を示すシーケンス図である。
【発明を実施するための形態】
【００１１】
＜実施の形態１＞
図１は、本実施の形態の概要を示す概略図である。本実施の形態にかかる構内交換機１００Ａは、ファクシミリ装置２００Ａを収容する。構内交換機は、企業等で複数の電話を使用する場合の交換機である。構内交換機１００Ａは、例えば、ＩＰ−ＰＢＸ装置である。ＩＰ−ＰＢＸ装置は、構内交換機のうちＩＰ電話に対応したものをいう。構内交換機１００Ａは、内線電話装置を収容してもよい。
【００１２】
ファクシミリ装置２００Ａは、ネットワーク６００を介して、ファクシミリ装置２００Ｂにファクシミリを送信する。ネットワーク６００は、例えば、ＩＰネットワークである。ファクシミリ装置２００Ｂは、構内交換機１００Ｂに収容されていてもよい。
【００１３】
図２は、本実施の形態にかかる構内交換機１００の構成を示す構成図である。構内交換機１００は、送信部１０１、受信部１０２および判断部１０３を備える。
【００１４】
送信部１０１は、ファクシミリ装置２００Ａが発信したダイヤル情報に基づいて、着信側ファクシミリ装置（ファクシミリ装置２００Ｂ）に発呼要求メッセージを送信する。ダイヤル情報は、ファクシミリ装置２００Ｂの電話番号であり、非通知設定に関する情報を含む場合がある。非通知設定に関する情報とは、例えば、電話番号の先頭に“１８４”が付されていることである。発呼要求メッセージは、例えば、ＳＩＰ（Ｓｅｓｓｉｏｎ  Ｉｎｉｔｉａｔｉｏｎ  Ｐｒｏｔｏｃｏｌ）のＩＮＶＩＴＥメッセージである。
【００１５】
受信部１０２は、発呼要求メッセージに対する応答メッセージを受信する。受信部１０２は、構内交換機１００Ｂまたはファクシミリ装置２００Ｂから応答メッセージを受信してもよい。応答メッセージは、例えば、ＳＩＰのレスポンスコードである。
【００１６】
判断部１０３は、応答メッセージが着信拒否を表す場合に、ダイヤル情報に基づいて、非通知設定によって着信拒否がされたか否かを判断する。応答メッセージが着信拒否を表す場合とは、例えば、ＳＩＰレスポンスコードが、「４８０  Ｔｅｍｐｏｒａｒｉｌｙ  Ｕｎａｖａｉｌａｂｌｅ」または「６０３  Ｄｅｃｌｉｎｅ」となる場合である。
【００１７】
判断部１０３は、ダイヤル情報に非通知設定に関する情報が含まれているか否かを判断することにより、非通知設定となっているか否かを判断する。例えば、判断部１０３は、ダイヤル情報の先頭が“１８４”であるか否かを判断する。
【００１８】
また、ファクシミリ装置２００Ａが、原則として発信者情報を通知しない設定になっている場合がある。このような場合には、ダイヤル情報に発信者情報を通知するための情報を付加した場合に限り発信者情報が通知される。発信者情報を通知するための情報は、例えば、電話番号の先頭に付加された“１８６”である。
【００１９】
ファクシミリ装置２００Ａに、上述した原則非通知となる設定がされている場合について説明する。判断部１０３は、ダイヤル情報に発信者情報を通知するための情報が付加されていない場合に、非通知設定により着信拒否が行われたと判断する。
【００２０】
本実施の形態によると、構内交換機１００は、応答メッセージが着信拒否を表す場合に、ダイヤル情報に基づいてファクシミリ装置の発信が非通知設定となっているか否かを判断する。したがって、構内交換機１００は、非通知設定によって着信が拒否されたか否かを判断することができる。
【００２１】
＜実施の形態２＞
本実施の形態は、非通知でファクシミリ送信をし、その送信が送信先の非通知着信を拒否する設定によって拒否され、ＳＩＰのレスポンスコード「４８０  Ｔｅｍｐｏｒａｒｉｌｙ  Ｕｎａｖａｉｌａｂｌｅ」や「６０３  Ｄｅｃｌｉｎｅ」を受信した場合に適用される。本実施の形態にかかるボタン電話装置は、ファクシミリ装置のダイヤル情報の送信先電話番号の先頭に“１８４”（非通知発信設定）があるか否かを確認する。“１８４”がある場合には、非通知着信を拒否する設定により、ファクシミリの送信に失敗したと判断する。かかる場合、ボタン電話装置は、送信者にファクシミリの送信に失敗した旨と送信先電話番号（相手先ファクシミリ番号）の先頭に１８６を付けて再送することを促す内容を伝える。伝える手段は、例えば、音声等のガイダンス、ファクシミリ装置のディスプレイへの表示、メッセージが記載された紙の印刷等である。
【００２２】
以下、ボタン電話装置に収容されたファクシミリ装置で非通知のファクシミリ送信を行った際に、非通知着信を拒否する設定をしている受信側のボタン電話装置からＳＩＰレスポンスコード「６０３  Ｄｅｃｌｉｎｅ」を受信し、ファクシミリの送信者に送信失敗のメッセージを印刷して通知する例について説明する。
【００２３】
図３は、本実施の形態の概要を示す構成図である。ファクシミリ装置２００Ａは、ボタン電話装置３００Ａに収容されている。ファクシミリ装置２００Ｂは、ボタン電話装置３００Ｂに収容されている。ボタン電話装置は、構内交換機とも呼ぶ。ボタン電話装置３００Ａ、３００Ｂは、例えば、ＩＰ−ＰＢＸ装置である。
【００２４】
ボタン電話装置３００Ａは、ＯＮＵ４００Ａを介してネットワーク６００に接続されている。ボタン電話装置３００Ｂは、ＯＮＵ４００Ｂを介してネットワーク６００に接続されている。ＯＮＵは、光回線終端装置（ＯＮＵ：Ｏｐｔｉｃａｌ  Ｎｅｔｗｏｒｋ  Ｕｎｉｔ）であり、光信号・電気信号の変換を行う装置である。ネットワーク６００は、ＩＰネットワークである。
【００２５】
ボタン電話装置３００Ａは、送信元となるファクシミリ装置２００Ａを収容している。ボタン電話装置３００Ａは、送信先からのＳＩＰレスポンスコードとファクシミリ装置２００Ａが発信したダイヤル情報に基づいて、ファクシミリの送信に失敗した原因が送信先の非通知着信を拒否する設定によるものか否かを判断する機能を有する。
【００２６】
ファクシミリ装置２００Ａは、非通知によりファクミシリの送信を行う。ファクシミリ装置は、ＬＡＮ（Ｌｏｃａｌ  Ａｒｅａ  Ｎｅｔｗｏｒｋ）を介してボタン電話装置３００Ａに収容される。ＬＡＮは、無線ＬＡＮであってもよい。ファクシミリ装置２００Ａは、メッセージの送信が可能なＭＦＰ（Ｍｕｌｔｉｆｕｎｃｔｉｏｎ  Ｐｅｒｉｐｈｅｒａｌ）であってもよい。ファクシミリ装置２００Ａは、ＩＰファクシミリ、ネットワークプリンタ等であってもよい。
【００２７】
ボタン電話装置３００Ｂは、送信先であるファクシミリ装置２００Ｂを収容する。ボタン電話装置３００Ｂは、ファクシミリ装置２００Ｂに着信があった場合、非通知着信であるか否かを判断し、非通知着信の場合は着信拒否の動作を行う。かかる場合、メッセージは、ファクシミリ装置２００Ｂに着信しない。
【００２８】
ファクシミリ装置２００Ｂは、送信先のファクシミリ装置である。ファクシミリ装置２００Ｂは、非通知着信を拒否する設定がされている。
【００２９】
図４は、本実施の形態にかかるボタン電話装置３００の構成を示す構成図である。ボタン電話装置３００は、送信部１０１、受信部１０２、判断部１０３および通知部１０４を備える。送信部１０１、受信部１０２および判断部１０３は、実施の形態１と同じであるため、説明を省略する。
【００３０】
通知部１０４は、判断部１０３により非通知設定が原因で着信拒否が行われたと判断された場合に、ファクシミリ装置２００Ａに非通知着信拒否に関する情報を通知する。非通知着信拒否に関する情報とは、例えば、非通知着信拒否が行われた旨、着信拒否が行われた理由等である。通知部１０４は、ファクシミリ装置２００Ａに非通知着信拒否が行われたことを紙に印刷するように指示してもよい。かかる場合、発信者は、発信者番号を通知してファクシミリを再送することが可能となる。
【００３１】
図５は、本実施の形態にかかるボタン電話装置３００Ａとファクシミリ装置２００Ａとの間でやり取りされるメッセージの例を示す表である。１行目は、ファクシミリ装置２００Ａが非通知発信を行うときのメッセージを示す。ファクシミリ装置２００Ａは、ボタン電話装置３００Ａに対し、呼設定要求を行う。呼設定要求は、“１８４”が先頭についた送信先の電話番号である。なお、図５の１行目は図６のＳ２０２に対応する。
【００３２】
また、ボタン電話装置３００Ａは、非通知設定が原因で着信拒否が行われたと判断された場合に、ファクシミリ装置２００Ａに、送信に失敗した旨およびその理由等を通知する。図５の２行目は、ボタン電話装置３００Ａは、上記の旨および理由等をファクシミリ装置２００Ａに紙に印刷する指示を行うことを表している。図５の３行目は、ボタン電話装置３００Ａは、上記の旨および理由等をファクシミリ装置２００Ａのディスプレイに表示する旨指示することを表している。図５の４行目は、ボタン電話装置３００Ａは、上記の旨および理由等をファクシミリ装置２００Ａに音声等のガイダンスとして送出する指示を行うことを表している。なお、これらは、図６のＳ２１３に対応している。
【００３３】
図６は、本実施の形態にかかるボタン電話装置３００の動作を示すシーケンス図である。以下、図６を用いて本実施の形態における処理の流れについて説明する。
【００３４】
まず、ファクシミリの送信者５００は、ファクシミリ装置２００Ｂの電話番号の先頭に“１８４”を付した番号を用いて、ファクシミリの送信操作を行う（Ｓ２０１）。これは、非通知によるファクシミリの送信を行う操作である。以下、ファクシミリ装置２００Ｂは送信先とも呼び、ファクシミリ装置２００Ｂの電話番号は送信先電話番号とも呼ぶ。
【００３５】
ファクシミリ装置２００Ａは、呼設定要求（Ｓｅｔｕｐ  Ｒｅｑ）を行う。すなわち、ファクシミリ装置２００Ａは、ダイヤル情報をボタン電話装置３００Ａに送信する。ダイヤル情報は、“１８４”を先頭に付した送信先電話番号である（Ｓ２０２）。
【００３６】
ボタン電話装置３００Ａは、受信したダイヤル情報に基づいて、送信先であるボタン電話装置３００Ｂに発信操作を行う（Ｓ２０３）。すなわち、ボタン電話装置３００Ａは、ボタン電話装置３００ＢにＳＩＰのＩＮＶＩＴＥリクエストを送信する。ＩＮＶＩＴＥリクエストは送信先電話番号を含む。非通知発信の場合は、ＩＮＶＩＴＥリクエストは非通知理由を含む。非通知理由は、例えば、公衆電話のため通知不可であること、送信元の設定により通知不可であること等である。
【００３７】
ボタン電話装置３００Ｂは、ボタン電話装置３００Ａからの着信を受けると、着信したＩＮＶＩＴＥリクエストに非通知理由が含まれているかどうかを確認する（Ｓ２０５）。ボタン電話装置３００Ｂは、非通知理由が含まれている場合には、非通知着信であると判断する。
【００３８】
ボタン電話装置３００Ｂは、非通知着信であると判断された場合、着信拒否を行うための処理を行う（Ｓ２０６）。すなわち、ボタン電話装置３００Ｂは、ボタン電話装置３００Ａに、ＳＩＰのレスポンスコード「６０３  Ｄｅｃｌｉｎｅ」を送信する（Ｓ２０７）。なお、ボタン電話装置３００Ｂが、着信拒否操作を実施するため、送信先のファクシミリ装置２００Ｂには着信が入らない。
【００３９】
「６０３  Ｄｅｃｌｉｎｅ」を受信したボタン電話装置３００Ａは、送信元のファクシミリ装置２００Ａに対して切断要求を行う（Ｓ２０８）。ファクシミリ装置２００Ａは、切断要求に対して応答信号を送信する（Ｓ２０９）。そして、ボタン電話装置３００Ａは、「６０３  Ｄｅｃｌｉｎｅ」に対する応答信号を、ボタン電話装置３００Ｂに送信する（Ｓ２１０）。
【００４０】
ボタン電話装置３００Ａは、ＳＩＰレスポンスコードを確認し、着信拒否が行われたか否かを判断する。受信側が着信拒否を行った場合のＳＩＰレスポンスコードは、例えば、「４８０  Ｔｅｍｐｏｒａｒｉｌｙ  Ｕｎａｖａｉｌａｂｌｅ」、「６０３  Ｄｅｃｌｉｎｅ」である。本実施の形態では、「６０３  Ｄｅｃｌｉｎｅ」を受信しているため、ボタン電話装置３００Ａは、送信先から着信拒否が行われたと判断する（Ｓ２１１）。
【００４１】
着信拒否された場合、ボタン電話装置３００Ａは、非通知でファクシミリ送信を行ったことが理由で、着信が拒否されたか否かを判断する。ボタン電話装置３００Ａは、ステップＳ２０２で受信したダイヤル情報の先頭に１８４が付いていた場合に、非通知でファクシミリを送信したために着信が拒否されたと判断する（Ｓ２１２）。
【００４２】
ボタン電話装置３００Ａは、ファクシミリ装置２００Ａに対して、ファクミリの送信に失敗した旨、失敗した理由を通知する。送信に失敗した理由は、非通知でファクシミリを送信したことである。ボタン電話装置３００Ａは、ファクシミリ装置２００Ａに対して、例えば、送信先電話番号の前に“１８６”を付けて再送することを促すメッセージを印刷する指示を行う（Ｓ２１３）。
【００４３】
ファクシミリ装置２００Ａは、ボタン電話装置３００Ａからの指示を受信し、メッセージを印刷することにより、送信者５００にファクシミリの送信に失敗した理由を伝える（Ｓ２１４）。
【００４４】
本実施の形態によると、ボタン電話装置３００は、ファクシミリの送信者５００に対して、送信に失敗した理由が非通知で送信したことであると通知することが可能である。また、ボタン電話装置３００は、送信先電話番号の前に“１８６”を付けて再送することにより、ファクシミリの送信失敗を回避できることを送信者５００に通知することが可能である。
【００４５】
本実施の形態は、非通知着信を拒否する設定をしている相手に対して非通知でファクシミリ送信を行った場合に、「着信拒否の場合に送信されてくるＳＩＰのレスポンスコード」と「送信時のダイヤル情報」をもとに、送信者に非通知でファクシミリの送信をしたために失敗したと通知することを特徴としている。受信側が、着信拒否をした場合のＳＩＰのレスポンスコードは、例えば、「４８０  Ｔｅｍｐｏｒａｒｉｌｙ  Ｕｎａｖａｉｌａｂｌｅ」、「６０３  Ｄｅｃｌｉｎｅ」である。
【００４６】
本実施の形態では、送信に失敗した理由が非通知発信であることを「送信先からのＳＩＰレスポンスコード」と「ファクシミリ送信時のダイヤル情報」に基づいて判断している。これらの情報はリアルタイムで入手できる情報であるため、ボタン電話装置３００は、ファクシミリの送信に失敗した理由を送信者５００に迅速に通知することができる。
【００４７】
送信に失敗した理由を送信者５００に伝える方法として、メッセージが記載された紙を印刷する例を示したが、本実施の形態はこれに限られるものではない。ファクシミリ装置２００Ａのディスプレイに表示する、あるいは、音声等によるガイダンスを行う等、複数の手段から選択することが可能である。
【００４８】
なお、本実施の形態は、上述した説明に限定されない。上述の説明においては、送信先電話番号の先頭に“１８４”が付加されている場合について説明したが、 “１８４”以外の番号を付加する非通知の設定方法であってもよい。
【００４９】
上述の説明においては、ボタン電話装置３００Ａが、ファクシミリ装置２００Ａに対して、ファクシミリの送信に失敗した旨および失敗した理由と、送信先電話番号（相手先ファミクシミリ番号）の前に“１８６”を付加して再送することを促すメッセージとを印刷する指示を行う場合について説明した。しかし、ボタン電話装置３００Ａが、送信先電話番号から“１８４”を削除し、あるいは送信先電話番号に“１８６”を付加して、自ら再送処理を行っても良い。
【００５０】
図７は、ボタン電話装置３００Ａが、送信先電話番号から“１８４”を削除して、再送を行う場合の動作を示すシーケンス図である。ステップＳ２０１〜ステップＳ２１２は、図６と同じであるため、説明を省略する。
【００５１】
ボタン電話装置３００Ａは、非通知発信により着信が拒否された場合（Ｓ２１２）、ダイヤル情報の編集を行う。即ち、ボタン電話装置３００Ａは、ステップＳ２０２で受信したダイヤル情報の先頭から“１８４”を削除する（Ｓ３１３）。
【００５２】
ボタン電話装置３００Ａは、“１８４”を削除した送信先電話番号を用いて、ＳＩＰのＩＮＶＩＴＥメッセージを送信する（Ｓ３１４）。
【００５３】
ボタン電話装置３００Ｂは、ＩＮＶＩＴＥメッセージに非通知理由が含まれているかを確認し、非通知理由が含まれていないことから、ＩＮＶＩＴＥメッセージに対する応答として、ボタン電話装置３００Ａに「２００  ＯＫ」のレスポンスコードを送信する（Ｓ３１５）。
【００５４】
「２００  ＯＫ」を受信したボタン電話装置３００Ａは、ファクシミリ装置２００Ａに接続要求を行う（Ｓ３１６）。ファクシミリ装置２００Ａは、接続要求に対して応答信号を送信し（Ｓ３１７）、ファクシミリ装置２００Ｂに対してファクシミリを送信する（Ｓ３１８）。
【００５５】
ファクシミリの送信終了後、ファクシミリ装置２００Ａは、ボタン電話装置３００Ａに切断要求を行う（Ｓ３１９）。ボタン電話装置３００Ａは、ボタン電話装置３００ＢにＳＩＰのＢＹＥメッセージを送信する（Ｓ３２０）。ボタン電話装置３００Ｂは、ＢＹＥメッセージに対する応答メッセージを送信する（Ｓ３２１）。ボタン電話装置３００Ａは、ファクシミリ装置２００Ａの切断要求に対して応答信号を送信する（Ｓ３２２）。
【００５６】
ボタン電話装置３００Ａは、ファクシミリ装置２００Ａに、送信に成功したことを示すメッセージの印刷を指示する。ここで、メッセージには、送信先電話番号の先頭から“１８４”を削除して再送した旨が記載されている（Ｓ３２３）。
【００５７】
印刷指示を受信したファクシミリ装置２００Ａは、指示に基づいて、送信成功メッセージを印刷する。送信者５００は、印刷された紙を確認することにより、ボタン電話装置３００Ａが非通知設定を解除しファクシミリを再送したことが分かる（Ｓ３２４）
【００５８】
図８は、ボタン電話装置３００Ａが、送信先電話番号に“１８６”を付与して、再送を行う場合の動作を示すシーケンス図である。ステップＳ４０２、Ｓ４１３、Ｓ４１４、Ｓ４２３以外は、図７と同じであるため、説明を省略する。
【００５９】
ボタン電話装置３００Ａは、ステップＳ４０２で受信したダイヤル情報に原則非通知となる設定がされていて、発信者情報を通知するための情報が付加されていないため、非通知発信により着信が拒否されたと判断された場合（Ｓ２１２）、ダイヤル情報の編集を行う。即ち、ボタン電話装置３００Ａは、ステップＳ４０２で受信したダイヤル情報の先頭に“１８６”を付加する（Ｓ４１３）。
【００６０】
ボタン電話装置３００Ａは、 “１８６”を付加した送信先電話番号を用いて、ＳＩＰのＩＮＶＩＴＥメッセージを送信する（Ｓ４１４）。
【００６１】
ボタン電話装置３００Ａは、ファクシミリ装置２００Ａに、送信に成功したことを示すメッセージの印刷を指示する。ここで、メッセージには、送信先電話番号の先頭に“１８６”を付加し、再送した旨が記載されている（Ｓ４２３）。
【００６２】
以下に本発明の効果を説明する。
非通知の着信を拒否する設定がされている通信相手に対して、非通知でファクシミリを送信した場合、送信に失敗する。非通知発信を行った電話に対しては、「“１８６”を付けて再度ダイヤルして下さい」というガイダンスが流れるため、発信者は、発信者番号を通知しなければならないことに気付く。一方、ファクシミリの場合、送信者は、ファクシミリの送信に失敗した理由が非通知で送信を行ったことであると知る術がなかった。
【００６３】
非通知の電話を受けたくないため、非通知の着信を拒否しているが、非通知のファクシミリは受信したいというニーズが存在する。しかし、着信が電話かファクシミリかを判断するためには、受信してＣＮＧ信号の有無で判断しなければならない。したがって、非通知の受信を拒否する段階では電話かファクシミリかを判断することが出来ず、上述したニーズに応えることが出来なかった。
【００６４】
本実施の形態によって、ファクシミリの送信者に、送信先に対して非通知で送信してはいけないと気付かせることによって、非通知着信を拒否する設定によって受信出来ないファクシミリを減らすことができる。
【００６５】
なお、本発明は上記実施の形態に限られたものではなく、趣旨を逸脱しない範囲で適宜変更することが可能である。
【符号の説明】
【００６６】
１００、１００Ａ、１００Ｂ  構内交換機
１０１  送信部
１０２  受信部
１０３  判断部
１０４  通知部
２００、２００Ａ、２００Ｂ  ファクシミリ装置
３００、３００Ａ、３００Ｂ  ボタン電話装置
４００、４００Ａ、４００Ｂ  ＯＮＵ
５００  送信者
６００  ネットワーク
【要約】
【課題】ファクシミリの着信が拒否された場合、非通知による送信を行ったことが原因か否かを判断することが可能な構内交換機および判断方法を提供する。
【解決手段】本発明にかかる構内交換機１００は、ファクシミリ装置を収容する構内交換機であって、ファクシミリ装置が発信したダイヤル情報に基づいて、着信側ファクシミリ装置に発呼要求メッセージを送信する送信部１０１と、発呼要求メッセージに対する応答メッセージを受信する受信部１０２と、応答メッセージが着信拒否を表す場合に、前記ダイヤル情報に基づいて、非通知設定によって着信が拒否されたか否かを判断する判断部１０３とを備える。
【選択図】図２【図１】
0006816902.tif 000002
【図２】
0006816902.tif 000003
【図３】
0006816902.tif 000004
【図４】
0006816902.tif 000005
【図５】
0006816902.tif 000006
【図６】
0006816902.tif 000007
【図７】
0006816902.tif 000008
【図８】
0006816902.tif 000009